【手続補正書】
【提出日】令和2年4月16日(2020.4.16)
【手続補正１】
【補正対象書類名】特許請求の範囲
【補正対象項目名】全文
【補正方法】変更
【補正の内容】
【特許請求の範囲】
【請求項１】
テクスチャ投影電球であって、
赤外線光を産出するように構成された白熱フィラメントと、
前記白熱フィラメントを封入する積分球であって、前記積分球は、拡散反射内部表面と、前記積分球内に少なくとも部分的に配置されたバッフルと、光が前記積分球から外へ通過することを可能にするように構成された開口と、を備える、積分球と、
前記積分球を囲繞する電球エンクロージャであって、前記エンクロージャは、赤外線光に透過性の１つ以上の領域と、赤外線光に不透明な１つ以上の領域とを備え、前記１つ以上の透過領域は、コンピュータビジョンシステムによって検出可能な赤外線光の構造化された光パターンを投影するように構成されている、エンクロージャと
を備える、電球。
【請求項２】
テクスチャ投影電球であって、
光源と、
前記光源を囲繞する積分器であって、前記積分器は、内部表面および少なくとも１つの開口を備え、前記積分器の内部表面は、少なくとも部分的に鏡面反射コーティングでコーティングされている、積分器と、
前記積分器を囲繞するエンクロージャであって、前記エンクロージャの少なくとも一部は、半透明である、エンクロージャと
を備える、電球。
【請求項３】
前記光源は、赤外線光を産出するように構成されている、請求項２に記載の電球。
【請求項４】
前記光源は、可視光を産出するように構成されている、請求項２に記載の電球。
【請求項５】
前記光源は、赤外線および可視光の組み合わせを産出するように構成されている、請求項２〜４のうちのいずれか１項に記載の電球。
【請求項６】
前記積分器は、積分球を備える、請求項２に記載の電球。
【請求項７】
前記積分器は、積分立方体を備える、請求項２に記載の電球。
【請求項８】
前記積分器の内部表面は、鏡面反射材料を備える、請求項２に記載の電球。
【請求項９】
前記積分器の内部表面は、拡散材料を備える、請求項２に記載の電球。
【請求項１０】
前記積分器の内部表面は、少なくとも部分的に、拡散コーティングでコーティングされている、請求項２に記載の電球。
【請求項１１】
前記光源は、白熱フィラメントを備える、請求項２に記載の電球。
【請求項１２】
前記光源は、発光ダイオードを備える、請求項２に記載の電球。
【請求項１３】
前記光源は、ガス放出要素を備える、請求項２に記載の電球。
【請求項１４】
前記光源は、アーク灯を備える、請求項２に記載の電球。
【請求項１５】
前記エンクロージャの少なくとも一部は、赤外線波長を反射し、かつ可視光に透明である、材料を備える、請求項２に記載の電球。
【請求項１６】
前記エンクロージャの少なくとも一部は、不透明である、請求項２に記載の電球。
【請求項１７】
前記エンクロージャの内部表面の少なくとも一部は、光を吸収することが可能である、請求項２に記載の電球。
【請求項１８】
前記エンクロージャの半透明領域は、構造化された光パターンを投影するように構成されている、請求項２に記載の電球。
【請求項１９】
前記エンクロージャの少なくとも一部は、球状である、請求項２に記載の電球。
【請求項２０】
前記積分器の開口は、前記エンクロージャの球状部分の中心に位置する、請求項１９に記載の電球。
【請求項２１】
電球ソケットに機械的および電気的に接続されるように構成されている、基部をさらに備える、請求項２に記載の電球。
【請求項２２】
前記基部は、ねじ山付き基部を備える、請求項２１に記載の電球。
【請求項２３】
少なくとも部分的に前記積分器内に配置されたバッフルをさらに備える、請求項２に記載の電球。
【請求項２４】
テクスチャ投影電球であって、
光源と、
前記光源を囲繞する積分器であって、前記積分器は、内部表面および少なくとも１つの開口を備える、積分器と、
少なくとも部分的に前記積分器内に配置されたバッフルと、
前記積分器を囲繞するエンクロージャであって、前記エンクロージャの少なくとも一部は、半透明である、エンクロージャと
を備える、電球。
【請求項２５】
前記バッフルの少なくとも一部は、前記光源と前記開口との間の直線経路に沿って位置する、請求項２４に記載の電球。
【請求項２６】
前記バッフルは、前記光源と前記開口との間の全ての直線経路と交差する、請求項２４に記載の電球。
【請求項２７】
前記バッフルは、鏡面反射表面を備える、請求項２４に記載の電球。
【請求項２８】
前記バッフルは、拡散反射表面を備える、請求項２４に記載の電球。
【手続補正２】
【補正対象書類名】明細書
【補正対象項目名】０００９
【補正方法】変更
【補正の内容】
【０００９】
本明細書に説明される主題の１つ以上の実装の詳細が、付随の図面および以下の説明に記載される。他の特徴、側面、および利点は、説明、図面、および請求項から明白となるであろう。本概要または以下の発明を実施するための形態のいずれも、本発明の主題の範囲を定義または限定することを主張するものではない。
本願明細書は、例えば、以下の項目も提供する。
（項目１）
テクスチャ投影電球であって、
赤外線光を産出するように構成された白熱フィラメントと、
前記白熱フィラメントを封入する積分球であって、前記積分球は、拡散反射内部表面と、光が前記積分球から外へ通過することを可能にするように構成された開口と、を備える、積分球と、
前記積分球を囲繞する電球エンクロージャであって、前記エンクロージャは、赤外線光に透過性の１つ以上の領域と、赤外線光に不透明な１つ以上の領域とを備え、前記１つ以上の透過領域は、コンピュータビジョンシステムによって検出可能な赤外線光の構造化された光パターンを投影するように構成されている、エンクロージャと
を備える、電球。
（項目２）
テクスチャ投影電球であって、
光源と、
前記光源を囲繞する積分器であって、前記積分器は、内部表面および少なくとも１つの開口を備える、積分器と、
前記積分器を囲繞するエンクロージャであって、前記エンクロージャの少なくとも一部は、半透明である、エンクロージャと
を備える、電球。
（項目３）
前記光源は、赤外線光を産出するように構成されている、項目２に記載の電球。
（項目４）
前記光源は、可視光を産出するように構成されている、項目２に記載の電球。
（項目５）
前記光源は、赤外線および可視光の組み合わせを産出するように構成されている、項目２〜４のうちのいずれか１項に記載の電球。
（項目６）
前記積分器は、積分球を備える、項目２に記載の電球。
（項目７）
前記積分器は、積分立方体を備える、項目２に記載の電球。
（項目８）
前記積分器の内部表面は、鏡面反射材料を備える、項目２に記載の電球。
（項目９）
前記積分器の内部表面は、少なくとも部分的に、鏡面反射コーティングでコーティングされている、項目２に記載の電球。
（項目１０）
前記積分器の内部表面は、拡散材料を備える、項目２に記載の電球。
（項目１１）
前記積分器の内部表面は、少なくとも部分的に、拡散コーティングでコーティングされている、項目２に記載の電球。
（項目１２）
拡張光源は、白熱フィラメントを備える、項目２に記載の電球。
（項目１３）
拡張光源は、発光ダイオードを備える、項目２に記載の電球。
（項目１４）
拡張光源は、ガス放出要素を備える、項目２に記載の電球。
（項目１５）
拡張光源は、アーク灯を備える、項目２に記載の電球。
（項目１６）
前記エンクロージャの少なくとも一部は、ホットミラーを備える、項目２に記載の電球。
（項目１７）
前記エンクロージャの少なくとも一部は、不透明である、項目２に記載の電球。
（項目１８）
前記エンクロージャの内部表面の少なくとも一部は、光を吸収することが可能である、項目２に記載の電球。
（項目１９）
前記エンクロージャの半透明領域は、構造化された光パターンを投影するように構成されている、項目２に記載の電球。
（項目２０）
前記エンクロージャの少なくとも一部は、球状である、項目２に記載の電球。
（項目２１）
前記積分器の開口は、前記エンクロージャの球状部分の中心に位置する、項目２０に記載の電球。
（項目２２）
電球ソケットに機械的および電気的に接続されるように構成されている、基部をさらに備える、項目２に記載の電球。
（項目２３）
前記基部は、ねじ山付き基部を備える、項目２２に記載の電球。
（項目２４）
少なくとも部分的に前記積分器内に配置されたバッフルをさらに備える、項目２に記載の電球。
（項目２５）
前記バッフルの少なくとも一部は、前記光源と前記開口との間の直線経路に沿って位置する、項目２４に記載の電球。
（項目２６）
前記バッフルは、前記光源と前記開口との間の全ての直線経路と交差する、項目２４に記載の電球。
（項目２７）
前記バッフルは、鏡面反射表面を備える、項目２４に記載の電球。
（項目２８）
前記バッフルは、拡散反射表面を備える、項目２４に記載の電球。